(57)【要約】      （修正有）【課題】使用済み注射針と直接接触して汚染されるおそれのない、より生物学的危害要因の少ない注射針除去装置を提供する。【解決手段】注射針除去装置は、使用済針収容ケースの針投入用開口部に立設して連通するように構成すると共に、内周壁を螺旋面２６に形成した針脱去筒体１３と、螺合条部３２により針脱去筒体の内周壁螺旋面に外周面で遊嵌螺合するように構成すると共に、内部に注射針１１の針管４５を収容しつつ針基４４を一体に装着可能とした針脱去コマ体１４と、を備える。針脱去コマ体を注射針部分に装着した注射器１０を針脱去筒体内に挿入し、針脱去コマ体を旋回摺動させることにより、注射針が脱去される。針脱去コマ体は、注射針の脱去後に注射針を保持したまま使用済針収容ケース内へ落下する。【選択図】図７
0003196419.tif 000002
【実用新案登録請求の範囲】
【請求項１】
上部に針投入用開口部を有する使用済針収容ケースの針投入用開口部に立設して連通するように構成すると共に、内周壁を螺旋面に形成した針脱去筒体と、
前記針脱去筒体の内周壁の螺旋面に外周面で遊嵌螺合するように構成すると共に、内部に注射針の針管を収容しつつ針基を一体に装着可能とした針脱去コマ体と、を備え、同針脱去コマ体は、注射器からの注射針の脱去後に注射針を保持したまま前記使用済針収容ケース内へ落下するよう構成したことを特徴とする注射針除去装置。
【請求項２】
前記針脱去筒体の内周面に形成した螺旋面と、前記針脱去コマ体の外周面に形成した螺旋面とは、いずれも多条ネジ構造としたことを特徴とする請求項１に記載の注射針除去装置。
【請求項３】
前記注射針は、前記針管を収容しつつ前記針基に装着するプロテクターを備えるものであり、前記針脱去コマ体は、前記プロテクターを一体に装着可能としたことを特徴とする請求項１又は請求項２に記載の注射針除去装置。
【請求項４】
前記針脱去筒体は、同針脱去筒体の下方を前記使用済針収容ケースの針投入用開口部に形成された閉蓋用の雄ネジ部に螺合可能に構成したことを特徴とする請求項１〜３いずれか１項に記載の注射針除去装置。
【請求項５】
前記針脱去筒体は、同針脱去筒体の上方に、前記針脱去コマ体を一時的に係止する係止部を備え、同係止部に係止させた針脱去コマ体に注射器の注射針を挿入し、前記係止部の係合力に抗して前記注射器の注射筒を前記針脱去筒体内へ押下することで注射針を脱去可能に構成したことを特徴とする請求項１〜４いずれか１項に記載の注射針除去装置。
【考案の詳細な説明】
【技術分野】
【０００１】
本考案は、注射器から注射針を外すための注射針除去装置に関する。
【背景技術】
【０００２】
従来、体内に直接薬剤等を投与するために、注射器を用いた注射が行われている。
【０００３】
注射を行った後は、注射器から注射針を外して感染性の医療廃棄物として廃棄する必要があるが、多くの注射針の場合、注射筒に螺着した注射針の針基を指先でつまみ、針基を回転させて注射筒から脱去することとなる。
【０００４】
ところが、この脱去操作の際に、指先を注射針に近づける必要があるため、針管の先端（針先）を誤って指に刺してしまうこと、すなわち誤刺してしまうことがある。
【０００５】
例えば糖尿患者のなかには、ペン型注射器を用いてインスリンの自己注射を行う必要がある者も存在するが、そのような患者の中には高齢であるが故に指先での細かな動作が困難な者もおり、誤刺するおそれが高まるという問題があった。
【０００６】
また、医療従事者が患者に対して注射した後の誤刺は、患者が罹患している感染症に感染してしまうおそれもあり、極めて深刻な問題となる。
【０００７】
そこで、これらのような誤刺事故を回避すべく、注射針近傍に指先を近づけることなく、注射器から注射針を外すことのできる針除去装置が提案されている（例えば、特許文献１参照。）。
【先行技術文献】
【特許文献】
【０００８】
【特許文献１】特開平０７−０００４６４号公報
【考案の概要】
【考案が解決しようとする課題】
【０００９】
しかしながら、上記従来の針除去装置では、同針除去装置内を旋回摺動する管部材が、注射針除去後に元の規定位置までバネにより復帰する構造となっており、使用済注射針と直接接触して汚染されるおそれのある部材が廃棄できない構造となっていた。
【００１０】
本考案は、斯かる事情に鑑みてなされたものであって、従来の針除去装置に比して、より生物学的危害要因の少ない注射針除去装置を提供する。
【課題を解決するための手段】
【００１１】
上記従来の課題を解決するために、請求項１に係る注射針除去装置では、上部に針投入用開口部を有する使用済針収容ケースの針投入用開口部に立設して連通するように構成すると共に、内周壁を螺旋面に形成した針脱去筒体と、前記針脱去筒体の内周壁の螺旋面に外周面で遊嵌螺合するように構成すると共に、内部に注射針の針管を収容しつつ針基を一体に装着可能とした針脱去コマ体と、を備え、同針脱去コマ体は、注射器からの注射針の脱去後に注射針を保持したまま前記使用済針収容ケース内へ落下するよう構成した。
【００１２】
また、請求項２に係る注射針除去装置では、前記針脱去筒体の内周面に形成した螺旋面と、前記針脱去コマ体の外周面に形成した螺旋面とは、いずれも多条ネジ構造としたことにも特徴を有する。
【００１３】
また、請求項３に係る注射針除去装置では、前記注射針は、前記針管を収容しつつ前記針基に装着するプロテクターを備えるものであり、前記針脱去コマ体は、前記プロテクターを一体に装着可能としたことにも特徴を有する。
【００１４】
また、請求項４に係る注射針除去装置では、前記針脱去筒体は、同針脱去筒体の下方を前記使用済針収容ケースの針投入用開口部に形成された閉蓋用の雄ネジ部に螺合可能に構成したことにも特徴を有する。
【００１５】
また、請求項５に係る注射針除去装置では、前記針脱去筒体は、同針脱去筒体の上方に、前記針脱去コマ体を一時的に係止する係止部を備え、同係止部に係止させた針脱去コマ体に注射器の注射針を挿入し、前記係止部の係合力に抗して前記注射器の注射筒を前記針脱去筒体内へ押下することで注射針を脱去可能に構成したことにも特徴を有する。
【考案の効果】
【００１６】
請求項１に係る本考案では、上部に針投入用開口部を有する使用済針収容ケースの針投入用開口部に立設して連通するように構成すると共に、内周壁を螺旋面に形成した針脱去筒体と、前記針脱去筒体の内周壁の螺旋面に外周面で遊嵌螺合するように構成すると共に、内部に注射針の針管を収容しつつ針基を一体に装着可能とした針脱去コマ体と、を備え、同針脱去コマ体は、注射器からの注射針の脱去後に注射針を保持したまま前記使用済針収容ケース内へ落下するよう構成したため、従来の針除去装置に比して、より生物学的危害要因の少ない注射針除去装置を提供することができる。
【００１７】
また、請求項２に係る本考案では、前記針脱去筒体の内周面に形成した螺旋面と、前記針脱去コマ体の外周面に形成した螺旋面とは、いずれも多条ネジ構造としたため、押圧力を分散させることにより、螺合部分にて発生する単位面積あたりの摩擦力を低減させることができ、針脱去コマ体の旋回摺動動作をより円滑なものとすることができる。
【００１８】
また、請求項３に係る本考案では、前記注射針は、前記針管を収容しつつ前記針基に装着するプロテクターを備えるものであり、前記針脱去コマ体は、前記プロテクターを一体に装着可能としたため、注射針にプロテクターを装着した状態の注射器からも、注射針を脱去することができる。
【００１９】
また、請求項４に係る本考案では、前記針脱去筒体は、同針脱去筒体の下方を前記使用済針収容ケースの針投入用開口部に形成された閉蓋用の雄ネジ部に螺合可能に構成したため、注射針を針脱去コマ体と共に使用済針収容ケース内に堅実に収容することができる。
【００２０】
また、請求項５に係る本考案では、前記針脱去筒体は、同針脱去筒体の上方に、前記針脱去コマ体を一時的に係止する係止部を備え、同係止部に係止させた針脱去コマ体に注射器の注射針を挿入し、前記係止部の係合力に抗して前記注射器の注射筒を前記針脱去筒体内へ押下することで注射針を脱去可能に構成したため、針脱去筒体上に針脱去コマ体を載置した状態で同針脱去コマ体に注射針を装着することができ、指先に注射針を近づけることなく、片手で注射針の装着・脱去を行うことができる。
【図面の簡単な説明】
【００２１】
【図１】本実施形態に係る注射針除去装置の使用状態を示した説明図である。
【図２】本実施形態に係る注射針除去装置の構成を示した分解斜視図である。
【図３】筒状本体の内部構成を示した説明図である。
【図４】針脱去コマ体の構成を示した説明図である。
【図５】注射器の構成を示した分解斜視図である。
【図６】針脱去コマ体に注射針や針ケースを装着した際の構造を示した説明図である。
【図７】注射針の螺脱過程を示した説明図である。
【考案を実施するための形態】
【００２２】
本考案は、上部に針投入用開口部を有する使用済針収容ケースの針投入用開口部に立設して連通するように構成すると共に、内周壁を螺旋面に形成した針脱去筒体と、前記針脱去筒体の内周壁の螺旋面に外周面で遊嵌螺合するように構成すると共に、内部に注射針の針管を収容しつつ針基を一体に装着可能とした針脱去コマ体と、を備え、同針脱去コマ体は、注射器からの注射針の脱去後に注射針を保持したまま前記使用済針収容ケース内へ落下するよう構成したことを特徴とする注射針除去装置に関するものである。
【００２３】
すなわち、本実施形態に係る注射針除去装置は、注射針と注射筒とで構成される注射器から注射針を脱去する装置であり、針脱去コマ体を注射針部分に装着した注射器を把持して針脱去筒内に挿入することで、針脱去コマ体を針脱去筒内で旋回摺動させて注射針を針脱去コマ体内に収容した状態で注射筒から取り外す装置であるとも言える。
【００２４】
そして、このような注射針除去装置によれば、例えば片手で注射筒から注射針を除去することができるため、誤刺事故の発生を効果的に回避することができる。
【００２５】
しかも、本実施形態に係る注射針除去装置では、針脱去コマ体が注射器からの注射針の脱去後に注射針を保持したまま前記使用済針収容ケース内へ落下するよう構成しているため、使用済針に直接接触する針脱去コマ体は廃棄されることとなり、従来の注射針除去装置に比して生物学的危害要因の少ない注射針除去装置とすることができる。
【００２６】
ここで、本実施形態に係る注射針除去装置にて使用可能な注射針や注射器（注射筒）は特に限定されるものではないが、例えば、JIS（日本工業規格）T 3226-1にて規定される医療用ペン形注入器や、JIS T 3226-2の注射針基準に規定されるA型の注射針とすることができる。
【００２７】
また、本実施形態に係る注射針除去装置では、更に、前記針脱去筒体の内周面に形成した螺旋面と、前記針脱去コマ体の外周面に形成した螺旋面とは、いずれも多条ネジ構造としても良い。このような構成とすることにより、リード角を大きくとりつつも、針脱去筒体内周面の螺旋面に形成された雌ネジ部と針脱去コマ体の外周面に形成された雄ネジ部との螺合接触面積を増大させて、針脱去筒体の軸線下方への押下力を分散させることができ、摩擦力の発生部位を分散させて注射針の脱去動作を円滑にすることができる。
【００２８】
また、前記注射針は、前記針管を収容しつつ前記針基に装着するプロテクターを備えるものであり、前記針脱去コマ体は、前記プロテクターを一体に装着可能としても良い。
【００２９】
医療機関等においては、注射器の使用後、針管でプロテクターをすくい上げ、注射針にプロテクターを装着することを義務づけている場合があるが、このように注射針のプロテクターが装着された状態の注射器であっても、注射筒から注射針を脱去することができる。なお、ここでプロテクターとは、例えば前述のA型の注射針の針ケース等も含む概念である。
【００３０】
また、針脱去筒体は、同針脱去筒体の下方を使用済針収容ケースの針投入用開口部に形成された閉蓋用の雄ネジ部に螺合可能に構成しても良い。このような構成とすることにより、針脱去筒体を使用済針収容ケースにしっかりと固定することができ、注射針を保持する針脱去コマ体を堅実に使用済針収容ケース内に収容することができる。
【００３１】
また、針脱去筒体は、同針脱去筒体の上方に、針脱去コマ体を一時的に係止する係止部を備え、同係止部に係止させた針脱去コマ体に注射器の注射針を挿入し、前記係止部の係合力に抗して前記注射器の注射筒を前記針脱去筒体内へ押下することで注射針を脱去可能に構成しても良い。
【００３２】
このような構成によれば、針脱去筒体上に針脱去コマ体を載置した状態で同針脱去コマ体に注射針を装着することができ、指先に注射針を近づけることなく、片手で注射針の装着・脱去を行うことができる。
【００３３】
以下、本実施形態に係る注射針除去装置について、図面を参照しながら詳説する。なお、以下の説明では、注射器としてペン型注射器を用いた場合を一例として示すが、他の注射器に関しても、注射筒に対して注射針を螺合させるタイプの注射器であれば、必要に応じて適宜その形状に合わせることで使用可能であるのは勿論である。
【００３４】
図１は、使用者Ｐが注射器１０から注射針１１を取り外すために、本実施形態に係る注射針除去装置Ａを使用している状態を示している。
【００３５】
具体的には、使用済針収容ケース１２の上部開口に注射針除去装置Ａを螺合させて立設しており、使用者Ｐが注射器１０の注射針１１を針脱去筒体１３の上部に係止させた針脱去コマ体１４内に嵌入させ、注射筒１５を把持しつつ押し下げ動作を行うことで、注射筒１５から注射針１１の取り外しを行っている。
【００３６】
注射筒１５から取り外された注射針１１は、針脱去コマ体１４と共に使用済針収容ケース１２内へ落下し、感染性の医療廃棄物として廃棄処分される。
【００３７】
図２は、本実施形態に係る注射針除去装置Ａの構成を示した分解斜視図である。注射針除去装置Ａは、使用済針収容ケース１２の針投入用開口部に立設して連通するように構成した針脱去筒体１３と、同針脱去筒体１３の内部にて螺合し旋回摺動しつつ軸線方向に移動（下降）する針脱去コマ体１４とで構成している。
【００３８】
針脱去筒体１３は、針脱去コマ体１４をその内部にて旋回させつつ使用済針収容ケース１２内へ導くための部材であり、上部に連通孔１６が穿設されたケース装着体１７と、円筒状に形成した筒状本体１８とで構成している。
【００３９】
ケース装着体１７は、筒状本体１８を使用済針収容ケース１２へ取り付けるための基部として機能する部材であり、使用済針収容ケース１２の針投入用開口部に形成された雄ネジ部分（図示せず）と螺合する雌ネジを内周面に備えたネジ蓋部１９と、同ネジ蓋部１９の上部に形成した連通孔１６の周縁に立設した周壁部２０とを備えている。
【００４０】
周壁部２０の内周面には、後述の筒状本体１８に形成した連結雄ネジ部２１と螺合する連結雌ネジ部２２が形成されており、ケース装着体１７に対し筒状本体１８を螺着可能に構成している。付言すれば、筒状本体１８を使用済針収容ケース１２に対しケース装着体１７を介して固定可能としている。
【００４１】
図３は、筒状本体１８の内部構造を示した説明図である。図３（ａ）は、筒状本体１８の軸線方向断面図を示しており、また、図３（ｂ）は、円筒形状の内周壁部を軸線方向に切り開いた展開模式図を示している。
【００４２】
筒状本体１８は、図３（ａ）に示すように、針脱去コマ体１４を挿入する挿入開口部２３を一端側の開口とし、注射筒１５より取り外された注射針１１を保持する針脱去コマ体１４が排出される排出開口部２４を他端側開口とした筒状の部材であり、排出開口部２４近傍の外周面には、ケース装着体１７の連結雌ネジ部２２と螺合する連結雄ネジ部２１が形成されている。
【００４３】
また、挿入開口部２３近傍の内周縁部分には、下方へ向けて狭窄するテーパ部２８を形成しており、針脱去コマ体１４を筒状本体１８に円滑に装着できるようにしている。
【００４４】
また、筒状本体１８の内周壁部２５は、針脱去コマ体１４と螺合させるための螺合溝部２６が刻設されており螺旋面が形成されている。
【００４５】
具体的には図３（ｂ）に示すように、筒状本体１８の内周壁部２５は、螺旋面を形成する螺合溝部２６として、第１螺合溝部２６ａと、第２螺合溝部２６ｂと、第３螺合溝部２６ｃと、第４螺合溝部２６ｄとがそれぞれピッチ角αで刻設されており、所謂多条雌ネジ構造としている。
【００４６】
また、これら螺合溝部２６のピッチ角αは、使用者Ｐによる押し下げ力を針脱去コマ体１４の旋回力に変換可能な角度としている。
【００４７】
また、螺旋面の高さＬは、ピッチ角αで刻設された螺合溝部２６により、注射筒１５に螺合した注射針１１を螺脱可能な旋回回数を確保できる長さ（本実施形態では、注射針１１（針脱去コマ体１４）を略３回転半回転させることができる長さ）であって、使用者Ｐが注射筒１５を把持した状態で注射針１１を螺脱できる長さとしている。
【００４８】
また、挿入開口部２３近傍の螺合溝部２６（図３（ｂ）中において破線で囲う領域内の螺合溝部２６）は、それ以外の部位の螺合溝部２６に比して溝幅を狭隘として、挿入開口部２３に挿入した針脱去コマ体１４に対し強めの摩擦力を生じさせて旋回を抑制しつつ係止する係止部２７としている。
【００４９】
この係止部２７における摩擦力は、後述する注射器１０に取り付けられた注射針１１の針基４４を針基係合リブ３７に嵌合させるために必要な最低限度の力により生ずる旋回力に抗して係止できる程度の摩擦力であり、使用者Ｐが更に力を加えて押下することにより、針脱去コマ体１４を旋回させることができるよう構成している。
【００５０】
針脱去コマ体１４は、図４（ａ）に示すように、有底略筒状の部材であり、注射針１１を嵌着させるための嵌着孔２９を上面に開口させて形成している。なお、図４（ａ）中において左図は針脱去コマ体１４の斜視図であり、右図は針脱去コマ体１４を上面から臨んだ状態を示した図である。
【００５１】
針脱去コマ体１４の外周面は、円筒部３０と先端テーパ部３１とで構成している。
【００５２】
円筒部３０の表面には、針脱去筒体１３の内周壁部２５に形成された螺旋面と螺合する複数条の螺合条部３２が形成されており、所謂多条雄ネジ構造としている。
【００５３】
具体的には、第１螺合条部３２ａと、第２螺合条部３２ｂと、第３螺合条部３２ｃと、第４螺合条部３２ｄとを形成しており、これら４つの螺合条部３２が、筒状本体１８に刻設された４つの螺合溝部２６とそれぞれ螺合して多条ネジ構造を構成するようにしている。
【００５４】
先端テーパ部３１は、針脱去コマ体１４の下方へ向けて漸次縮径した部位であり、筒状本体１８のテーパ部２８と共に針脱去コマ体１４の筒状本体１８への挿入を容易とするための部位である。
【００５５】
嵌着孔２９は、注射針１１や注射針１１が収容された針ケース４６を嵌着するための孔であり、図４（ｂ）に示すようにその内部空間は、下部から上部にかけて針管収容空間３３と、針基収容空間３４と、針ケース保持空間３５とで構成している。
【００５６】
針管収容空間３３は、注射針１１の針管４５や、後述する針ケース４６の針管収容部４６ｂを収容する空間であり、特に針管収容部４６ｂを針管収容空間３３の中央位置に保持するためのセンタリングリブ３６が、内周壁より半径方向内方へ向けて複数突設されている。
【００５７】
針基収容空間３４は、注射針１１の針基４４を収容する空間であり、針基４４の滑り止め溝４４ｂと嵌合して注射針１１の嵌着孔２９内での周方向への回転を規制しつつ、嵌着孔２９からの脱落を防止する針基係合リブ３７が、前述のセンタリングリブ３６の上方に延設する状態で配設されている。
【００５８】
針ケース保持空間３５は、後述の針ケース４６を装着した状態の注射針１１を保持するための空間であり、針ケース４６の周回りに複数形成されている滑り止め条４６ｃと嵌合することにより、針ケース４６の嵌着孔２９内での周方向への回転を規制しつつ、嵌着孔２９からの脱落を防止する針ケース嵌合溝３８が嵌着孔２９の開口周縁部に複数形成されている。
【００５９】
次に、本実施形態に係る注射針除去装置Ａにて注射針１１の取り外しを行う注射器１０の構成について説明する。
【００６０】
図５は、注射針除去装置Ａにて注射筒１５から注射針１１を取り外す注射器１０等の構成を示した分解説明図であり、ここでは所謂ペン型注射器を図示している。
【００６１】
注射器１０は、注射筒１５と、注射針１１と、針キャップ４０と、ペンキャップ４１とで構成されている。
【００６２】
注射筒１５は、薬液が封入されたカートリッジ４２と、同カートリッジ４２内の薬液を所定量吐出させるプランジャー機構等が内蔵されたペン本体４３とで構成されており、カートリッジ４２を取り替えることで繰り返し注射を行えるよう構成されている。
【００６３】
また、カートリッジ４２の下端部には、同カートリッジ４２の胴部よりも小径の針取付部４２ａが備えられており、同針取付部４２ａの周回りには注射針１１を螺着するための雄ネジ螺合部４２ｂが形成されている。
【００６４】
注射針１１は、樹脂等にて形成された有底筒状の針基４４と、同針基４４の底部を貫通する針管４５とで構成されている。
【００６５】
針基４４は、注射筒１５（ここではカートリッジ４２）と連結するための部位であり、その内周面には注射筒１５（カートリッジ４２）の雄ネジ螺合部４２ｂと螺合する雌ネジ螺合部４４ａが形成されている。
【００６６】
また、針基４４の外表面周回りには軸線方向に沿って複数の滑り止め溝４４ｂが形成されている。この滑り止め溝４４ｂは、注射針除去装置Ａを用いずに注射筒１５から注射針１１を取り外すにあたり、指でつまんで回転させる際に滑らないように形成された溝であるが、後述するように注射針除去装置Ａを用いた注射針１１の脱去操作では、針脱去コマ体１４の針基係合リブ３７に係合させるための部位としてこの滑り止め溝４４ｂを利用する。
【００６７】
針管４５は、カートリッジ４２内に収容された薬液を体内に注入するための管である。針管４５は針基４４内方に突出した後針部分を備えており、雄ネジ螺合部４２ｂと雌ネジ螺合部４４ａとを螺合させた際に、この後針部分で針取付部４２ａ底面のセプタム部を貫通させることで薬液を導出可能としている。
【００６８】
針キャップ４０は、注射針１１の針管４５を保護するための部材である。
【００６９】
また、これら注射針１１及び針キャップ４０は、一般に針ケース４６内に収容して保護シール４６ｄで封止した上で使い捨て針として販売されている。
【００７０】
この針ケース４６は、針基４４を収容する針基収容部４６ａと針管４５を収容する針管収容部４６ｂとで構成されており、注射針１１を収容した際にぴったりとフィットし、回転方向に規制する内部構造となっている。
【００７１】
また、針ケース４６は、注射針１１のプロテクターとして機能する部材でもあり、注射針除去装置Ａを用いずに注射筒１５から注射針１１を取り外す際に、注射針１１に針ケース４６を装着して取り外しができるよう、針基収容部４６ａから針管収容部４６ｂの外面において上下方向へ向けて複数の滑り止め条４６ｃが設けられている。なお、保護シール４６ｄは、滅菌された注射針１１を針ケース４６内にて無菌状態に保つ役割を有している。
【００７２】
ペンキャップ４１は、注射器１０を持ち運ぶ際に、注射筒１５を保護するための部材である。
【００７３】
そして、本実施形態に係る注射針除去装置Ａの針脱去コマ体１４は、図６（ａ）に示すように、嵌着孔２９内に注射針１１を保持可能としている。
【００７４】
具体的には、針管収容空間３３にて針管４５を収容すると共に、針基収容空間３４にて針基４４を収容する。
【００７５】
特に針基収容空間３４では、針基４４の周面に形成された滑り止め溝４４ｂが、嵌着孔２９内の針基係合リブ３７と係合することで、注射針１１の嵌着孔２９内での周方向への回転を規制しつつ、上部開口からの離脱を防止している。なお、以下の説明において、図６（ａ）に示す注射針１１を保持した針脱去コマ体１４を、針収容コマ体４８とも言う。
【００７６】
また、本実施形態に係る注射針除去装置Ａの針脱去コマ体１４は、図６（ｂ）に示すように、嵌着孔２９内に針ケース４６も保持可能としている。
【００７７】
具体的には、針管収容空間３３にて針ケース４６の針管収容部４６ｂを収容すると共に、針ケース保持空間３５の針ケース嵌合溝３８に針ケース４６の滑り止め条４６ｃを嵌合させることで、針ケース４６の嵌着孔２９内での周方向への回転を規制しつつ、上部開口からの脱落を防止している。なお、以下の説明において、図６（ｂ）に示す針ケース４６を保持した針脱去コマ体１４を、針ケース収容コマ体４９とも言う。
【００７８】
そして、使用した注射器１０の注射筒１５から注射針１１を取り外すにあたっては、まず図１にて示したように、使用者Ｐは、針脱去筒体１３に係止させた針脱去コマ体１４に対し、注射筒１５を把持した状態で注射針１１を近づけて、針脱去コマ体１４の嵌着孔２９に注射針１１を挿入する。
【００７９】
このとき、図７（ａ）に示すように、注射針１１の滑り止め溝４４ｂは、針基収容空間３４の針基係合リブ３７と勘合し、注射針１１の嵌着孔２９内での動きが規制される。
【００８０】
次に、使用者Ｐが更に押し下げ動作を行って、係止部２７の摩擦力に抗して針脱去コマ体１４に旋回力を発生させると、各螺合条部３２と各螺合溝部２６との螺合により、針脱去コマ体１４は筒状本体１８内で下降旋回することとなる。
【００８１】
これに伴い、嵌着孔２９内では、注射筒１５の雄ネジ螺合部４２ｂに対して注射針１１の雌ネジ螺合部４４ａが解除方向に回転させられて、図７（ｂ）に示すように徐々に注射針１１が外れ始める。
【００８２】
そして、使用者Ｐが注射筒１５を更に針脱去筒体１３の内方へ押し込み動作を行うと、図７（ｃ）に示すように、注射針１１は針脱去コマ体１４と共に注射筒１５から螺脱され、注射針１１の取り外しが行われることとなる。
【００８３】
その後、筒状本体１８内で形成された針収容コマ体４８は、自重で筒状本体１８内を下降して使用済針収容ケース１２内に落下したり、又は使用者Ｐが注射筒１５で更なる押込み動作を行うことで使用済針収容ケース１２内へ落とし込むこととなる。
【００８４】
使用済針収容ケース１２は、ある一定量の針収容コマ体４８が蓄積された時点で、医療用廃棄物として所定の処理方法に従って処理される。
【００８５】
なお、ここでは注射針１１を針脱去コマ体１４内に直接嵌合させて螺脱させ、針収容コマ体４８として使用済針収容ケース１２内へ落下させる場合について説明したが、図６（ｂ）で説明したように、使用済み注射器１０の注射針１１に針ケース４６を装着した上で針脱去コマ体１４に嵌合させて螺脱させ、針ケース収容コマ体４９として使用済針収容ケース１２内へ落下させる場合も同様にして注射針１１の取り外しを行うことができる。
【００８６】
上述してきたように、本考案に係る注射針除去装置（例えば、注射針除去装置Ａ）によれば、上部に針投入用開口部を有する使用済針収容ケース（例えば、使用済針収容ケース１２）の針投入用開口部に立設して連通するように構成すると共に、内周壁（例えば、内周壁部２５）を螺旋面に形成した針脱去筒体（例えば、針脱去筒体１３）と、前記針脱去筒体の内周壁の螺旋面に外周面で遊嵌螺合するように構成すると共に、内部に注射針（例えば、注射針１１）の針管（例えば、針管４５）を収容しつつ針基（例えば、針基４４）を一体に装着可能とした針脱去コマ体（例えば、針脱去コマ体１４）と、を備え、同針脱去コマ体は、注射器（例えば、注射器１０）からの注射針の脱去後に注射針を保持したまま前記使用済針収容ケース内へ落下するよう構成したため、従来の針除去装置に比して、より生物学的危害要因の少ない注射針除去装置を提供することができる。
【００８７】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【符号の説明】
【００８８】
１０  注射器
１１  注射針
１２  使用済針収容ケース
１３  針脱去筒体
１４  針脱去コマ体
１５  注射筒
１６  連通孔
２０  周壁部
２５  内周壁部
２６  螺合溝部
２７  係止部
２９  嵌着孔
３２  螺合条部
３６  センタリングリブ
３７  針基係合リブ
３８  針ケース嵌合溝
４２ｂ  雄ネジ螺合部
４４  針基
４４ａ  雌ネジ螺合部
４４ｂ  滑り止め溝
４５  針管
４６  針ケース
４６ｃ  滑り止め条
４８  針収容コマ体
４９  針ケース収容コマ体
Ａ  注射針除去装置
【図１】
0003196419.tif 000003
【図２】
0003196419.tif 000004
【図３】
0003196419.tif 000005
【図４】
0003196419.tif 000006
【図５】
0003196419.tif 000007
【図６】
0003196419.tif 000008
【図７】
0003196419.tif 000009
【手続補正書】
【提出日】平成26年12月27日(2014.12.27)
【手続補正１】
【補正対象書類名】実用新案登録請求の範囲
【補正対象項目名】全文
【補正方法】変更
【補正の内容】
【実用新案登録請求の範囲】
【請求項１】
上部に針投入用開口部を有する使用済針収容ケースの針投入用開口部に立設して連通するように構成すると共に、内周壁を螺旋面に形成した針脱去筒体と、
前記針脱去筒体の内周壁の螺旋面に外周面で遊嵌螺合するように構成すると共に、内部に注射針の針管を収容する針管収容空間と針基を装着させる針基収容空間とをを備える嵌着孔を上面に開口させて形成した針脱去コマ体と、を備え、
前記針脱去筒体は、注射針を保持した前記針脱去コマ体を前記使用済み針収容ケースへ排出させる排出開口部を下端側開口として備えることを特徴とする注射針除去装置。
【請求項２】
前記針脱去筒体の内周面に形成した螺旋面と、前記針脱去コマ体の外周面に形成した螺旋面とは、いずれも多条ネジ構造としたことを特徴とする請求項１に記載の注射針除去装置。
【請求項３】
前記注射針は、前記針管を収容しつつ前記針基に装着するプロテクターを備えるものであり、前記針脱去コマ体は、前記プロテクターを一体に装着可能としたことを特徴とする請求項１又は請求項２に記載の注射針除去装置。
【請求項４】
前記針脱去筒体は、同針脱去筒体の下方を前記使用済針収容ケースの針投入用開口部に形成された閉蓋用の雄ネジ部に螺合可能に構成したことを特徴とする請求項１〜３いずれか１項に記載の注射針除去装置。
【請求項５】
前記針脱去筒体は、同針脱去筒体の上方に、前記針脱去コマ体を一時的に係止する係止部を備え、同係止部に係止させた針脱去コマ体に注射器の注射針を挿入し、前記係止部の係合力に抗して前記注射器の注射筒を前記針脱去筒体内へ押下することで注射針を脱去可能に構成したことを特徴とする請求項１〜４いずれか１項に記載の注射針除去装置。
【手続補正２】
【補正対象書類名】明細書
【補正対象項目名】００１１
【補正方法】変更
【補正の内容】
【００１１】
上記従来の課題を解決するために、請求項１に係る注射針除去装置では、上部に針投入用開口部を有する使用済針収容ケースの針投入用開口部に立設して連通するように構成すると共に、内周壁を螺旋面に形成した針脱去筒体と、前記針脱去筒体の内周壁の螺旋面に外周面で遊嵌螺合するように構成すると共に、内部に注射針の針管を収容する針管収容空間と針基を装着させる針基収容空間とをを備える嵌着孔を上面に開口させて形成した針脱去コマ体と、を備え、前記針脱去筒体は、注射針を保持した前記針脱去コマ体を前記使用済み針収容ケースへ排出させる排出開口部を下端側開口として備えることとした。
【手続補正３】
【補正対象書類名】明細書
【補正対象項目名】００１６
【補正方法】変更
【補正の内容】
【００１６】
請求項１に係る本考案では、上部に針投入用開口部を有する使用済針収容ケースの針投入用開口部に立設して連通するように構成すると共に、内周壁を螺旋面に形成した針脱去筒体と、前記針脱去筒体の内周壁の螺旋面に外周面で遊嵌螺合するように構成すると共に、内部に注射針の針管を収容する針管収容空間と針基を装着させる針基収容空間とをを備える嵌着孔を上面に開口させて形成した針脱去コマ体と、を備え、前記針脱去筒体は、注射針を保持した前記針脱去コマ体を前記使用済み針収容ケースへ排出させる排出開口部を下端側開口として備えることとしたため、従来の針除去装置に比して、より生物学的危害要因の少ない注射針除去装置を提供することができる。